(57)【要約】【課題】衛星電波を受信するアンテナを備えた時計において、アンテナと並列的なスペースを確保して、付加機能に係る部品や多針化に係る部品を配置できるとともに、これらの部品を配置する設計上の自由度を向上させる手段を提供する。【解決手段】  文字板３と、パッチアンテナ１０と、文字板３よりも視認側の上側表示部品５２と、文字板３の背面側の下側表示部品６３とを有する時計１であって、上側表示部品５２を駆動する輪列機構の少なくとも一部と、該輪列機構を駆動するモータ５３と、が配置される第１部品層１００と、該第１部品層１００と前記文字板３との間に位置して、下側表示部品６３及び下側表示部品６３の駆動部品が配置される第２部品層２００とを有し、パッチアンテナ１０は、第１部品層１００に配置される金属製の部品と平面的に重ねて第２部品層２００に配置される。【選択図】図３
2018159638.tif 000002
【特許請求の範囲】
【請求項１】
文字板と、衛星電波を受信するアンテナと、
前記文字板よりも視認側に突出する回転軸に取付けられる上側表示部品と、
前記文字板の外形内で前記文字板の背面側に配置されて前記上側表示部品とは異なる情報を表示可能な下側表示部品とを有し、
少なくとも前記上側表示部品と前記下側表示部品のいずれかで時刻情報を表示する時計であって、
前記時計を構成するムーブメントは、
前記上側表示部品を駆動する輪列機構の少なくとも一部と、該輪列機構を駆動するモータと、該モータを駆動するモータ駆動回路とが配置される第１部品層と、
該第１部品層と前記文字板との間に位置して、前記下側表示部品及び前記下側表示部品を駆動するための少なくとも一部の駆動部品が配置される第２部品層とを有し、
前記アンテナは、前記第１部品層に配置される金属製の部品と平面的に重ねて前記第２部品層に配置され、
前記アンテナで所定の電波を受信するための受信用回路部品を、前記第１部品層、前記第２部品層又は該第１部品層を挟んで前記第２部品層とは反対側の層に配置したことを特徴とする時計。
【請求項２】
前記下側表示部品は、液晶パネル又は日付表示用の日車であることを特徴とする請求項１に記載の時計。
【請求項３】
前記上側表示部品は、小針を含み、
前記小針を固定した前記回転軸に取付けられる歯車は、前記金属製の部品であることを特徴とする請求項１又は請求項２に記載の時計。
【請求項４】
前記第１部品層には、外部操作部材によって、前記上側表示部品又は前記下側表示部品の表示動作に関する操作を行う操作機構が配置され、
前記操作機構は、前記金属製の部品である
ことを特徴とする請求項１に記載の時計。
【発明の詳細な説明】
【技術分野】
【０００１】
本発明は、衛星電波を受信するアンテナを備え、指針によって情報表示を行う時計に関する。
【背景技術】
【０００２】
衛星電波を受信するアンテナを備え、指針によって情報表示を行う時計のムーブメント内部の配置における従来技術としては、特許文献１に開示されているようなものがある。これは、小針を用いて多針化された時計であり、パッチアンテナを避けて重ならないように、すなわち並列的に輪列やステップモータや裏回りなどの部品が配置されている。
【先行技術文献】
【特許文献】
【０００３】
【特許文献１】特開２０１６−１６１３８０号公報（段落００１８〜００２１，図３）
【発明の概要】
【発明が解決しようとする課題】
【０００４】
このような時計においても、液晶表示装置や日付表示などの付加機能が多数求められる。また、多針化の要請も強い。
従来技術において、これらの要請に応えようとして付加機能に係る部品や多針化に係る部品をアンテナと並列的に配置しようとしても、既に並列的に配置されている輪列やステップモータや裏回りといった部品が配列されているため、そのためのスペースを確保することが難しかった。
また、付加機能に係る部品や多針化に係る部品をアンテナの指針側に配置しようとしても、これらの部品は金属性であることも多く、アンテナと金属製の部品との位置関係によっては、アンテナの受信感度が低下してしまう。さらに、付加機能に係る部品や多針化に係る部品をアンテナとは平面的に重ならないように配置した場合には、時計が大型化してしまう。
また、多針化された時計に限らずとも、付加機能に係る部品とアンテナとを平面的に重ならないように配置した場合には、時計が所望の大きさよりも大型化してしまうことが起こり得る。
【０００５】
そこで、本発明の目的は、上記の問題点に鑑み、衛星電波を受信するアンテナを備え、指針によって情報表示を行う時計において、時計が大型化しないようにして液晶表示装置や日付表示などの付加機能に係る部品を配置できるとともに、これらの部品を配置する設計上の自由度を向上させる手段を提供することである。また、アンテナの受信感度が低下することも防止する。
【課題を解決するための手段】
【０００６】
本願の時計は、文字板と、衛星電波を受信するアンテナと、前記文字板よりも視認側に突出する回転軸に取付けられる上側表示部品と、前記文字板の外形内で前記文字板の背面側に配置されて前記上側表示部品とは異なる情報を表示可能な下側表示部品とを有し、少なくとも前記上側表示部品と前記下側表示部品のいずれかで時刻情報を表示する時計であって、前記時計を構成するムーブメントは、前記上側表示部品を駆動する輪列機構の少なくとも一部と、該輪列機構を駆動するモータと、該モータを駆動するモータ駆動回路とが配置される第１部品層と、該第１部品層と前記文字板との間に位置して、前記下側表示部品及び前記下側表示部品を駆動するための少なくとも一部の駆動部品が配置される第２部
品層とを有し、前記アンテナは、前記第１部品層に配置される金属製の部品と平面的に重ねて前記第２部品層に配置され、前記アンテナで所定の電波を受信するための受信用回路部品を、前記第１部品層、前記第２部品層又は該第１部品層を挟んで前記第２部品層とは反対側の層に配置したことを特徴とする時計ことを特徴とする。
【０００７】
下側表示部品は、液晶パネル又は日付表示用の日車であってもよい。
【０００８】
上側表示部品は、小針を含み、小針を固定した回転軸に取付けられる歯車は、金属製の部品であってもよい。
【０００９】
第１部品層には、外部操作部材によって、上側表示部品又は下側表示部品の表示動作に関する操作を行う操作機構が配置され、該操作機構は、金属製の部品であってもよい。
【発明の効果】
【００１０】
文字板と、衛星電波を受信するアンテナと、前記文字板よりも視認側に突出する回転軸に取付けられる上側表示部品と、前記文字板の外形内で前記文字板の背面側に配置されて前記上側表示部品とは異なる情報を表示可能な下側表示部品とを有し、少なくとも前記上側表示部品と前記下側表示部品のいずれかで時刻情報を表示する時計のムーブメントにおいて、前記上側表示部品を駆動する輪列機構の少なくとも一部と、該輪列機構を駆動するモータと、該モータを駆動するモータ駆動回路とが配置される第１部品層と、該第１部品層と前記文字板との間に位置して、前記下側表示部品及び前記下側表示部品を駆動するための少なくとも一部の駆動部品が配置される第２部品層とを設けて、前記アンテナは、前記第１部品層に配置される金属製の部品と平面的に重ねて前記第２部品層に配置し、前記アンテナで所定の電波を受信するための受信用回路部品を、前記第１部品層、前記第２部品層又は該第１部品層を挟んで前記第２部品層とは反対側の層に配置したことにより、アンテナと並列的なスペースを確保して、液晶表示装置や日付表示などの付加機能に係る部品や多針化に係る部品を配置できるとともに、これらの部品を配置する設計上の自由度を向上させることができる。また、アンテナの受信感度が低下することも防止することができる。
【００１１】
加えて、下側表示部品を液晶パネル又は日付表示用の日車としたことより、アンテナと並列的に確保したスペースに液晶パネル又は日付表示用の日車を配置できる。
【００１２】
加えて、上側表示部品は、小針を含み、小針を固定した回転軸に取付けられる歯車は、金属製の部品であるので、アンテナの受信感度が低下することも防止することができる。
【００１３】
加えて、第１部品層に、外部操作部材の操作に上側表示部品又は下側表示部品の表示動作に関する操作を行う操作機構を配置し、操作機構は、金属製の部品であるので、操作機構以外の部分においてパッチアンテナに並列的なスペースを確保できるとともに、アンテナの受信感度が低下することも防止することができる。
【図面の簡単な説明】
【００１４】
【図１】本発明の第１の実施形態における時計の平面図である。
【図２】図１の時計におけるムーブメントの一部を含めて示した平面図である。
【図３】図２におけるＡ−Ａ断面図である。
【図４】本発明の第２の実施形態における時計の平面図である。
【図５】図４の時計におけるムーブメントの一部を含めて示した平面図である。
【図６】図５におけるＢ−Ｂ断面図である。
【図７】本発明の第３の実施形態における時計の平面図である。
【図８】図７の時計におけるムーブメントの一部を含めて示した平面図である。
【図９】図８におけるＣ−Ｃ断面図である。
【発明を実施するための形態】
【００１５】
以下、本発明の実施の形態につき図面を参照する等して説明する。以下は、本発明の一の実施の形態であって本発明を限定するものではない。
【００１６】
〔第１の実施形態〕
以下、本発明に係る第１の実施形態について図面の図１から図３と共に説明する。
図１は、本発明の第１の実施形態における時計１の平面図である。
図１には、時計１の外装であるケース２、ケース２内に設けられた文字板３と時刻を示す時針３１、分針３２及び秒針３３が示されている。
文字板３の１０時方向には、２４時間表示領域４が設けられ、２４時間針４１で２４時間表示を行う。文字板３の２時方向には、ＵＴＣ表示領域５が設けられ、ＵＴＣ時針５１とＵＴＣ分針５２とで協定世界時表示を行う。文字板３の６時方向には、液晶表示領域６が設けられている。図１では、液晶表示領域６で所定地域の時刻を表示している。所定地域の時刻は、液晶時刻表示６１と液晶地域表示６２とで表示される。
【００１７】
時針３１、分針３２、秒針３３、２４時間針４１、ＵＴＣ時針５１及びＵＴＣ分針５２は、文字板３の視認側である表側に突出した回転軸に取付けられて設けられている。これらは、本発明の上側表示部品に相当する。また、上側表示部品のうち、時針３１、分針３２、秒針３３を除いた２４時間針４１、ＵＴＣ時針５１及びＵＴＣ分針５２が、本発明の小針に相当する。
液晶時刻表示６１及び液晶地域表示６２を備える液晶パネル６３は、文字板３の外形内の背面側である裏側に設けられており、文字板３に設けられた開口を通して液晶表示領域６を形成する。これは、本発明の下側表示部品に相当する。
また、使用者が種々の操作を行うためにケース２の３時側の側面には竜頭７、ケース２の２時側の側面には第１プッシュボタン８、ケース２の４時側の側面には第２プッシュボタン９が設けられている。これらは、本発明の外部操作部材に相当する。
【００１８】
図２は、図１における文字板３を透過させた状態のムーブメントＭの一部を示したものである。図２において、文字板３及び文字板３の表側に配置されたものは点線で示しており、裏側に配置されたものは実線で示している。
文字板３の９時方向の裏側には、時モータ３４が配置されている。時モータ３４は、時輪列３５を介して時針３１と２４時間針４１を回転させる。時輪列３５は、時モータ３４側から第１時中間車３５ａ、第２時中間車３５ｂ、第３時中間車３５ｃ、第４時中間車３５ｄの順で回転力を伝達し、時針３１が取り付けられた筒車３１ａを回転させる。また、時輪列３５は、第３時中間車３５ｃから第５時中間車３５ｅによって時モータ３４の動力を分岐して、２４時間針４１の２４時間車４１ａを回転させる。
時輪列３５は、本発明の上側表示部品を駆動する輪列機構に相当し、時モータ３４は、該輪列機構を駆動するモータに相当する。
【００１９】
文字板３の２時方向の裏側には、ＵＴＣモータ５３が配置されている。ＵＴＣモータ５３は、ＵＴＣ輪列５４を介してＵＴＣ時針５１とＵＴＣ分針５２を回転させる。ＵＴＣ輪列５４は、ＵＴＣモータ５３側から第１ＵＴＣ中間車５４ａに回転力を伝達し、ＵＴＣ時針５１が取り付けられたＵＴＣ筒車５１ａを回転させる。また、ＵＴＣ筒車５１ａは、第２ＵＴＣ中間車５４ｂを回転させ、第２ＵＴＣ中間車５４ｂがＵＴＣ分針５２の図示しないＵＴＣ二番車を回転させる。
ＵＴＣ輪列５４は、本発明の上側表示部品を駆動する輪列機構に相当し、ＵＴＣモータ５３は、該輪列機構を駆動するモータに相当する。
文字板３の６時方向の裏側には、液晶時刻表示６１と液晶地域表示６２を行う液晶パネ
ル６３が配置されている。
【００２０】
文字板３の１２時方向の裏側には、パッチアンテナ１０が配置されている。これは、衛星電波を受信するものである。衛星電波には、例えば、時刻情報が含まれており、時計１は、この電波を受信し時刻を修正して正しく表示する機能を有する。本実施形態では、パッチアンテナ１０は矩形であるが、形状は特定されない。また、パッチアンテナ１０に限らず、衛星電波を受信するものであればリングアンテナ、チップアンテナ、逆Ｆアンテナであってもよい。
【００２１】
図２に示すように、パッチアンテナ１０は、２４時間車４１ａ、ＵＴＣモータ５３及びＵＴＣ筒車５１ａの一部の表側に重なって配置されている。
このように配置することで、２４時間針４１、ＵＴＣ時針５１及びＵＴＣ分針５２を各回転軸をパッチアンテナ１０の近傍まで配置できるので、２４時間表示領域４、ＵＴＣ表示領域５、液晶表示領域６の配置において自由な設計が可能となる。また、２４時間車４１ａ、ＵＴＣモータ５３及びＵＴＣ筒車５１ａは金属製の部品であってもパッチアンテナ１０の衛星電波を受信する裏側に配置されるので、これらはパッチアンテナ１０が受信する衛星電波を遮蔽せず、受信感度の低下を防ぐことができる。
【００２２】
上記にあげた以外に、分針３２や秒針３３を回転させるモータや輪列、基板なども配置されるが、これらについては記載を省略している。
【００２３】
図３は、図２におけるＡ−Ａ断面図である。
図３における文字板３の下方である文字板３の裏側には、パッチアンテナ１０が配置されている。パッチアンテナ１０は、文字板３側の面で衛星電波を受信するため、図のようにできるだけ文字板３側に設けた方が良好に受信することができる。
また、文字板３の裏側であって、パッチアンテナ１０が配置されていない部分には、ソーラーセル３０が配置されている。ソーラーセル３０は、図示しない二次電池を充電するために設けられる。なお、ソーラーセル３０が設けられるため、文字板３は太陽光を透過又は半透過する構造となっている。
【００２４】
ソーラーセル３０の下方には、支持台１１が設けられている。支持台１１もソーラーセル３０と同様にパッチアンテナ１０が配置される箇所は開口している。また、支持台１１には、液晶パネル６３を支持する凹部である液晶パネル支持部１１ａが設けられており、液晶パネル６３と液晶基板６５とを電気的に接続する液晶基板コネクタ６６を通すための開口が設けられている。
液晶パネル支持部１１ａには、液晶パネル６３が設けられている。このような構成によってパッチアンテナ１０と液晶パネル６３は、並列的に配置されている。
【００２５】
パッチアンテナ１０と支持台１１の下方には、液晶基板６５が設けられている。液晶基板６５は、液晶パネル６３と液晶基板コネクタ６６によって電気的に接続されている。液晶基板６５は、液晶パネル６３を駆動させるもので、本発明の下側表示部品を駆動する駆動部品に相当する。また、液晶基板６５は、２４時間車４１ａ、ＵＴＣ筒車５１ａ及びＵＴＣ二番車５２ａの各回転軸が通る開口が設けられている。
パッチアンテナ１０、支持台１１、液晶パネル６３、液晶基板コネクタ６６、液晶基板６５などが配置される部品層は、本発明の第２部品層２００に相当する。
【００２６】
液晶基板６５の下方には、地板２０が配置されている。
図３におけるパッチアンテナ１０の直ぐ左側には、２４時間車４１ａの回転軸が配置されている。２４時間車４１ａの歯車部分は、液晶基板６５の下方に配置されており、右側部分がパッチアンテナ１０の下方に、左側部分が支持台１１の下方に配置されている。２
４時間車４１ａは、地板２０によって受けられている。
【００２７】
図３におけるパッチアンテナ１０の直ぐ右側には、ＵＴＣ筒車５１ａ及びＵＴＣ二番車５２ａの回転軸が配置されている。ＵＴＣ筒車５１ａ及びＵＴＣ二番車５２ａの歯車部分は、液晶基板６５の下方に配置されており、左側部分がパッチアンテナ１０の下方に、右側部分が支持台１１の下方に配置されている。
ＵＴＣ筒車５１ａは、地板２０によって受けられている。ＵＴＣ二番車５２ａは、ＵＴＣ輪列受５５によって受けられている。ＵＴＣモータ５３のコイル５３ａ及びステータ５３ｂもパッチアンテナ１０の下方に配置され、ＵＴＣ輪列受５５によって受けられている。地板２０のＵＴＣ輪列受５５が配置される部分は、開口している。
【００２８】
地板２０の下方には、時計基板２１が配置されている。時計基板２１は、時計１を制御するもので、時モータ３４やＵＴＣモータ５３を駆動する図示しないモータ駆動回路も備えている。
地板２０、２４時間車４１ａ、ＵＴＣ筒車５１ａ、ＵＴＣ二番車５２ａ、ＵＴＣモータ５３のコイル５３ａ、ステータ５３ｂ、ＵＴＣ輪列受５５及び時計基板２１などが配置される部品層は、本発明の第１部品層１００に相当する。第１部品層１００には、モータ駆動回路などに電力を供給する図示しない二次電池なども配置される。
【００２９】
地板２０の下方には、耐磁板２２が配置されている。耐磁板２２は、外部磁場からムーブメントの特にモータを保護するものである。
耐磁板２２の下方には、回路支持台２３が配置され、その下方には、受信基板１２が配置されている。受信基板１２は、パッチアンテナ１０と電気的に接続しており、パッチアンテナ１０による受信のための各種回路が搭載されている。
受信基板１２は、本発明の受信用回路部品に相当する。回路支持台２３と受信基板１２とで受信ブロック３００を構成している。本実施形態では、パッチアンテナで衛星からの電波を受信するための受信用回路部品である受信基板１２を、第１部品層１００を挟んで第２部品層とは反対側の層に配置している。
受信基板１２は、ＦＰＣや同軸ケーブルなどで時計基板２１に接続されている。
受信基板１２の下方に配置されているのは、受信基板１２を押さえる回路押さえ２４である。
【００３０】
図３に示すように、パッチアンテナ１０は、２４時間車４１ａ、ＵＴＣモータ５３及びＵＴＣ筒車５１ａの一部の表側に重なって配置されているので、２４時間車４１ａやＵＴＣ筒車５１ａをパッチアンテナ１０に近づけることができ、２４時間針４１やＵＴＣ時針５１の配置の制約が緩和される。また、２４時間車４１ａやＵＴＣ筒車５１ａをパッチアンテナ１０に近づけられるため、第２部品層２００を貫通する２４時間車４１ａやＵＴＣ筒車５１ａの回転軸が、第２部品層２００における液晶パネル６３を配置するスペースを制約しないようにパッチアンテナ１０に近づけることも可能になり、パッチアンテナ１０と液晶パネル６３とを並列的に配置しやすくなる。
また、２４時間車４１ａ、ＵＴＣ筒車５１ａ、ＵＴＣ二番車５２ａ、ＵＴＣモータ５３のコイル５３ａ、ステータ５３ｂ、時計基板２１といった部品は金属製部品であるところ、これらがパッチアンテナ１０の下方に配置されることになるので、これらはパッチアンテナ１０が受信する衛星電波を遮蔽せず、受信感度の低下を防ぐことができる。
仮に、第２部品層２００に配置した各部品を、第１部品層１００に配置した場合には、第１部品層１００が平面方向に広がり、時計１を平面視したときのムーブメントＭの外形が大きくなるため、通常用いられる腕時計よりも大きな外形の特殊な腕時計となる。
また、このような構造から、液晶パネル６３に関する部品だけを第２部品層２００に配置したとしても、第１部品層１００は、まだ外形が大きく、第２部品層２００には開きスペースが生じて、ムーブメントＭの平面方向の外形を十分に小さくすることは難しい。
これに対して、多数の金属製の部品を含む第１部品層１００の上に第２部品層２００を重ねる２層構造とし、パッチアンテナ１０は、第１部品層１００の金属製の部品による影響を受けにくい第２部品層２００に配置することで、パッチアンテナ１０を配置する位置の自由度が増し、第１部品層１００の平面方向の面積を減らすことができる。
しかも、液晶パネル６３などの比較的大きな付加機能の部品と、これに関する部品だけでは空きスペースが生じる第２部品層２００に、パッチアンテナ１０が配置されることで、第２部品層２００に部品を効率よく配置し、第１部品層１００と第２部品層２００とに部品をバランスよく分散化することができる。
これにより、文字板３の外形内で、より均等化した部品配置のムーブメントＭを構成して、通常用いられる外形サイズの腕時計を実現することができる。
【００３１】
〔第２の実施形態〕
以下、本発明に係る第２の実施形態について図面の図４から図６と共に説明する。なお、第１の実施形態と同様の部分については説明を省略し、主に異なる部分について説明する。
図４は、本発明の第２の実施形態における時計１の平面図である。
本実施形態では、２４時間表示領域４は文字板３の１２時方向に設けられ、ＵＴＣ表示領域５は６時方向に設けられている。液晶表示領域６は、文字板３の９時方向に設けられている。液晶表示領域６は、液晶時刻表示６１と液晶地域表示６２とが二段に表示される。
【００３２】
図５は、図４における文字板３を透過させた状態のムーブメントＭの一部を示したものである。図５において、文字板３及び文字板３の表側に配置されたものは点線で示しており、裏側に配置されたものは実線で示している。
文字板３の９時方向の裏側には、液晶時刻表示６１と液晶地域表示６２を行う液晶パネル６３が配置されている。
【００３３】
文字板３の３時方向の裏側には、裏回り７０が配置されている。裏回り７０は、時針３１、分針３２、秒針３３、２４時間針４１、ＵＴＣ時針５１、ＵＴＣ分針５２、液晶パネル６３の表示態様を変更するために、使用者による竜頭７の操作を伝達する機構である。
巻真７１は、竜頭７に連結されて回転及び押し引き可能に取り付けられている。おしどり７２は、巻真７１の押し引き動作に連動して回動し、スイッチバネ７３を回動させる。裏押さえ７４は、巻真７１、おしどり７２、スイッチバネ７３、スイッチレバー７６を押さえる。スイッチレバー７６は、巻真７１の回転動作に連動して作動する。７５は、裏物押さえである。７７はスイッチ車（図６に図示した。）、７８はスイッチレバー押さえ（図６に図示した。）である。裏回り７０を構成する部品は、大半が金属製部品で構成される。
裏回り７０は、本発明の操作機構に相当する。
【００３４】
文字板３の３時方向の裏側には、パッチアンテナ１０が配置されている。
図５に示すように、パッチアンテナ１０は、裏回り７０の一部の文字板３側、すなわち表側に重なって配置されている。
このように、パッチアンテナ１０の裏側に金属部品である裏回り７０を配置するので、パッチアンテナ１０と裏回り７０とを時計１の平面視で重ねずにずらして配置した場合と比較して、他の部品を配置するスペースが広くなり、２４時間表示領域４、ＵＴＣ表示領域５、液晶表示領域６の配置において自由な設計が可能となる。また、裏回り７０を構成する部品は大半が金属製であり、パッチアンテナ１０の衛星電波を受信する裏側に配置されるので、パッチアンテナ１０が受信する衛星電波は裏回り７０によって遮蔽されることがなく、受信感度の低下を防ぐことができる。
【００３５】
上記にあげた以外に、時針３１、分針３２、秒針３３、２４時間針４１、ＵＴＣ時針５１及びＵＴＣ分針５２を回転させるモータや輪列、基板なども配置されるが、これらについては記載を省略している。
【００３６】
図６は、図５におけるＢ−Ｂ断面図である。
パッチアンテナ１０、支持台１１、液晶パネル６３、液晶基板６５などが配置される部品層は、本発明の第２部品層２００に相当する。
パッチアンテナ１０の下方に裏回り７０の一部が配置されている。裏回り７０は時計基板２１に連続的に設けられており、裏回り７０の可動によって、時計基板２１の図示しない時計用マイコンが動作して、各種表示態様を変更する。
地板２０、時計基板２１及び裏回り７０などが配置される部品層は、本発明の第１部品層１００に相当する。第１部品層１００には、図示しない輪列やモータ、モータ駆動回路などに電力を供給する電池なども配置される。
【００３７】
図６に示すように、パッチアンテナ１０を裏回り７０に重ねて配置するので、裏回り７０と重ならない他の領域は、パッチアンテナ１０が占有することがなく、他の部品の配置スペースを確保することができる。
また、金属製部品が多い裏回り７０をパッチアンテナ１０の下方に配置するので、裏回り７０は、パッチアンテナ１０が受信する衛星電波を遮蔽せず、受信感度の低下を防ぐことができる。
【００３８】
なお、第１プッシュボタン８や第２プッシュボタン９も各種表示態様を変更するために可動するものであるが、これらの図示しないスイッチ戻しばねなどの可動機構をパッチアンテナ１０の下方に配置するようにしてもよい。このようにすることで上記と同様の効果を得ることができる。この場合には、第１プッシュボタン８や第２プッシュボタン９の可動機構も本発明の操作機構に相当することになる。
【００３９】
〔第３の実施形態〕
以下、本発明に係る第３の実施形態について図面の図７から図９と共に説明する。なお、第１、２の実施形態と同様の部分については説明を省略し、異なる部分について説明する。
図７は、本発明の第３の実施形態における時計１の平面図である。
文字板３の１０時方向には、２４時間表示領域４が設けられている。文字板３の２時方向には、曜日表示領域８０が設けられ、曜日指示針８１が曜日情報８２を指すことで曜日を表示する。また、曜日表示領域８０内には、二次電池の充電量を表示する充電量表示領域８５が設けられている。曜日指示針８１は、充電量表示領域８５による二次電池の充電量の表示にも兼用して用いられる。すなわち、曜日指示針８１は、時計１の状態に応じて、曜日情報８２と二次電池の充電量のいずれかを表示する。文字板３の６時方向には、日付表示領域９０が設けられている。日付表示領域９０は、日付一位表示領域９１と日付十位表示領域９２とで構成されている。
【００４０】
時針３１、分針３２、秒針３３、２４時間針４１及び曜日指示針８１は、文字板３の視認側である表側に突出した回転軸に取付けられて設けられている。これらは、本発明の上側表示部品に相当する。また、上側表示部品のうち、時針３１、分針３２、秒針３３を除いた２４時間針４１、曜日指示針８１が、本発明の小針に相当する。
日付一位表示領域９１及び日付十位表示領域９２で日付を表示する一位日車９１０及び十位日車９２０（図８に図示した。）は、文字板３の外形内の背面側である裏側に設けられており、文字板３に設けられた開口を通して日付表示領域９０を形成する。これらは、本発明の下側表示部品に相当する。
【００４１】
図８は、図７における文字板３を透過させた状態のムーブメントＭの一部を示したものである。図８において、文字板３及び文字板３の表側に配置されたものは点線で示しており、裏側に配置されたものは実線で示している。
文字板３の２時方向の裏側には、曜日モータ８３が配置されている。曜日モータ８３は、曜日輪列８４を介して曜日指示針８１を回転させる。曜日輪列８４は、曜日モータ８３側から曜日中間車８４ａに回転力を伝達し、曜日指示針８１の曜車８１ａを回転させる。
曜日輪列８４は、本発明の上側表示部品を駆動する輪列機構に相当し、曜日モータ８３は、該輪列機構を駆動するモータに相当する。
【００４２】
文字板３の７時方向の裏側には、一位日車９１０が配置されている。一位日車９１０には、０〜９の数字が付されており、文字板３の日付一位表示領域９１の開口部からいずれかの数字が視認可能となる。
文字板３の８時方向の裏側には、日付一位モータ９１１が配置されている。日付一位モータ９１１は、日付一位輪列９１２を介して一位日車９１０を回転させる。日付一位輪列９１２は、日付一位モータ９１１側から第１日付一位中間車９１２ａ、第２日付一位中間車９１２ｂ、第３日付一位中間車９１２ｃの順で回転力を伝達し、一位日車９１０の歯車９１０ａを回転させる。
【００４３】
文字板３の５時方向の裏側には、十位日車９２０が配置されている。十位日車９２０には、０〜３の数字が付されており、文字板３の日付十位表示領域９２の開口部からいずれかの数字が視認可能となる。十位日車９２０は、一位日車９１０より文字板３側に重ねて設けられる。一位日車９１０に付された数字が重なる十位日車９２０の所定の位置には、開口部９２０ｂが設けられている。この開口部９２０ｂは、０〜３の数字に対応して４箇所設けられている。この開口部９２０ｂを通して、一位日車９１０の数字が視認される。
文字板３の５時方向の裏側には、日付十位モータ９２１が配置されている。日付十位モータ９２１は、日付十位輪列９２２を介して十位日車９２０を回転させる。日付十位輪列９２２は、日付十位モータ９２１側から第１日付十位中間車９２２ａ、第２日付十位中間車９２２ｂ、第３日付十位中間車９２２ｃの順で回転力を伝達し、十位日車９２０の歯車９２０ａを回転させる。
【００４４】
文字板３の６時方向の裏側には二次電池１５が配置されている。二次電池１５は、一位日車９１０及び十位日車９２０よりも裏面方向に配置されている。
【００４５】
図８に示すように、パッチアンテナ１０は、２４時間車４１ａ、曜日モータ８３及び曜日指示針８１の曜車８１ａの一部の表側に重なって配置されている。
このように配置することで、２４時間針４１及び曜日指示針８１の各回転軸をパッチアンテナ１０の近傍まで配置できるので、２４時間表示領域４、曜日表示領域８０、日付表示領域９０の配置において自由な設計が可能となる。また、２４時間車４１ａ、曜日モータ８３及び曜日指示針８１の曜車８１ａが金属製の部品であってもパッチアンテナ１０の衛星電波を受信する裏側に配置されるので、パッチアンテナ１０が受信する衛星電波はこれらの部品によって遮蔽されることがなく、受信感度の低下を防ぐことができる。
【００４６】
上記にあげた以外に、分針３２や秒針３３を回転させるモータや輪列、充電量表示領域８５に係る部品、基板なども配置されるが、これらについては記載を省略する。
【００４７】
図９は、図８におけるＣ−Ｃ断面図である。
図９における文字板３の下方である文字板３の裏側には、パッチアンテナ１０が配置されている。パッチアンテナ１０は、文字板３側の面で衛星電波を受信するため、このようにできるだけ文字板３側に設けた方が良好に受信することができる。
また、文字板３の裏側であって、パッチアンテナ１０が配置されている部分、日付一位
表示領域９１及び日付十位表示領域９２の開口を除いた部分には、ソーラーセル３０が配置されている。ソーラーセル３０は、二次電池１５を充電するために設けられる。
【００４８】
ソーラーセル３０の下方には、支持台１１が設けられている。支持台１１もソーラーセル３０と同様にパッチアンテナ１０が配置される箇所には設けられていない。また、支持台１１には、一位日車９１０及び十位日車９２０をそれぞれ収納する十位日車凹部１１ｂ及び一位日車凹部１１ｃが設けられている。そして、十位日車凹部１１ｂ及び一位日車凹部１１ｃとソーラーセル３０との間に一位日車９１０及び十位日車９２０が配置されている。支持台１１には、時輪列３５を支持する時輪列受部１１ｄ、日付十位輪列９２２を支持する日付十位輪列受部１１ｅが設けられている。
このような構成によってパッチアンテナ１０と一位日車９１０及び十位日車９２０は、並列的に配置されている。
【００４９】
十位日車９２０は、一位日車９１０よりも文字板３側に一部が重なって配置されている。十位日車９２０に付された数字は、文字板３の日付十位表示領域９２の開口から視認され、一位日車９１０に付された数字は、文字板３の日付一位表示領域９１の開口及び十位日車９２０の開口部９２０ｂから視認される。
パッチアンテナ１０、支持台１１、一位日車９１０、十位日車９２０などが配置される部品層は、本発明の第２部品層２００に相当する。
【００５０】
パッチアンテナ１０と支持台１１の下方には、受信基板１２が設けられている。受信基板１２は、パッチアンテナ１０及び時計基板２１と電気的に接続されている。受信基板１２は、２４時間車４１ａ、十位日車９２０の歯車９２０ａの各回転軸及び日付十位輪列９２２が貫通する開口を備えている。
【００５１】
受信基板１２の下方には、地板２０が配置されている。受信基板１２は、本発明の受信用回路部品に相当する。
図９におけるパッチアンテナ１０の直ぐ左側には、２４時間車４１ａの回転軸が配置されている。２４時間車４１ａの歯車部分は、受信基板１２の下方に配置されており、右側部分がパッチアンテナ１０の下方に、左側部分が支持台１１の下方に配置されている。２４時間車４１ａは、地板２０によって受けられている。
【００５２】
図９におけるパッチアンテナ１０の右側であって受信基板１２の下方には、時輪列３５の第５時中間車３５ｅ、第３時中間車３５ｃ、第２時中間車３５ｂが配置されている。時輪列３５のうち第３時中間車３５ｃの右側部分及び第２時中間車３５ｂが一位日車９１０の下方に配置されている。
第３時中間車３５ｃは、時輪列受部１１ｄで受けられている。第５時中間車３５ｅ及び第２時中間車３５ｂは地板２０によって受けられている。３６は、時輪列３５を支持する時輪列受である。
【００５３】
時輪列３５は、針位置検出部３７を備えている。針位置検出部３７は、ＬＥＤ３７ａ、フォトトランジスタ３７ｂ、第２時中間車３５ｂの所定位置に形成された開口部３５ｂ１、第３時中間車３５ｃの所定位置に形成された開口部３５ｃ１とで構成されている。針位置の検出は、ＬＥＤ３７ａ、開口部３５ｃ１、開口部３５ｂ１及びフォトトランジスタ３７ｂが一直線になったときに行われる。この検出時の時針の位置を所定の位置として定めておく（例えば１２時）。そして、図示しない時計用マイコンは、開口部３５ｂ１及び開口部３５ｃ１を通したＬＥＤ３７ａからの光をフォトトランジスタ３７ｂが受光するときの時針の位置（例えば１２時）と、時計用マイコン自身が保持する時刻とのずれ量を算出し、このずれ量が解消されるように時モータ３４を駆動制御する。
【００５４】
図９における時輪列３５の右側であって、一位日車９１０及び十位日車９２０の下方には、二次電池１５が配置されている。二次電池１５は、ソーラーセル３０によって充電され、二次電池１５によって時計１の電力が供給される。二次電池１５を容易に交換できるように、二次電池１５の下方は時計基板２１、耐磁板２２及び回路押さえ２４によって覆われていない。
【００５５】
図９における十位日車９２０の歯車９２０ａの右側であって支持台１１の下方には、日付十位輪列９２２の第３日付十位中間車９２２ｃ、第２日付十位中間車９２２ｂ、第１日付十位中間車９２２ａが配置されている。地板２０は、十位日車９２０の歯車９２０ａ及び日付十位輪列９２２を受けている。
図９における９２２ａの右側であって支持台１１の下方には、コイルブロック９２１ａ、ステータ９２１ｂ、ロータ９２１ｃを備える日付十位モータ９２１が配置されている。
【００５６】
地板２０の下方には、時計基板２１が配置されている。
受信基板１２、地板２０、２４時間車４１ａ、時輪列３５、時輪列受３６、二次電池１５、日付十位輪列９２２の大半部分、日付十位モータ９２１及び時計基板２１などが配置される部品層は、本発明の第１部品層１００に相当する。第１部品層１００には、図示しないモータ駆動回路なども配置される。
受信基板１２が、第１部品層１００に含まれているので、受信ブロック３００は第１部品層１００に含まれている。
【００５７】
時計基板２１の下方には、耐磁板２２が配置されている。耐磁板２２の下方に回路押さえ２４が配置されている。本実施形態の場合、回路押さえ２４は、時計基板２１と耐磁板２２とを押さえる。
【００５８】
図８及び図９に示すように、パッチアンテナ１０は、２４時間車４１ａ、曜日モータ８３及び曜車８１ａの一部の表側に重なって配置されているので、第２部品層２００における一位日車９１０及び十位日車９２０を配置するスペースが確保でき、パッチアンテナ１０と一位日車９１０及び十位日車９２０とを並列的に配置することができる。
また、２４時間車４１ａ、曜日モータ８３、曜車８１ａ、時計基板２１といった部品は金属製部品であるところ、これらがパッチアンテナ１０の下方に配置されることになるので、ノイズによる受信感度の低下を防ぐことができる。
【００５９】
本実施形態において、第１の実施形態及び第２の実施形態では上側表示部品及び下側表示部品で時刻情報を表示し、第３の実施形態では、上側表示部品で時刻情報を表示したが、これに限られず、下側表示部品だけで時刻情報を表示するようにしてもよい。
また、受信基板１２は、第１の実施形態と第２の実施形態では、第１部品層１００を挟んで第２部品層２００とは反対側に配置され、第３の実施形態では、第１部品層１００に配置したが、第２部品層２００のスペースに余裕がある場合には、第２部品層２００に配置しても良い。
また、受信用回路部品を実装するのは、受信基板１２に限らず、実装スペースに余裕があれば、時計基板２１などの他の基板に実装しても良い。
すなわち、各層におけるスペースに応じて、受信用回路部品を適宜、いずれの層に配置しても良い。
さらに、各実施形態では、上側表示部品として小針を有する例を示したが、小針は必須ではなく、例えば、上側表示部品として小針を備えない時針、分針、秒針だけの時計であっても、小針に関する部品が簡素化されて、各実施形態と同様に、第１部品層、第２部品層の２層構造か、又は、さらに、受信ブロックを有する３層構造にすることができる。
【００６０】
〔他の変形例〕
いずれの実施形態における各技術的事項を他の実施形態に適用して実施例としても良い。
【符号の説明】
【００６１】
１          時計
２          ケース
３          文字板
４          ２４時間表示領域
５          ＵＴＣ表示領域
６          液晶表示領域
７          竜頭
８          第１プッシュボタン
９          第２プッシュボタン
１０        パッチアンテナ
１１        支持台
１１ａ      液晶パネル支持部
１１ｂ      十位日車凹部
１１ｃ      一位日車凹部
１１ｄ      時輪列受部
１１ｅ      日付十位輪列受部
１２        受信基板
１５        二次電池
２０        地板
２１        時計基板
２２        耐磁板
２３        回路支持台
２４        回路押さえ
３０        ソーラーセル
３１        時針
３２        分針
３３        秒針
３４        時モータ
３５        時輪列
３６        時輪列受
３７        針位置検出部
４１        ２４時間針
４１ａ      ２４時間車
５１        ＵＴＣ時針
５１ａ      ＵＴＣ筒車
５２        ＵＴＣ分針
５２ａ      ＵＴＣ二番車
５３        ＵＴＣモータ
５４        ＵＴＣ輪列
５５        ＵＴＣ輪列受
６１        液晶時刻表示
６２        液晶地域表示
６３        液晶パネル
６４        液晶パネル支持台
６５        液晶基板
６６        液晶基板コネクタ
７０        裏回り
７１        巻真
７２        おしどり
７３        スイッチバネ
７４        裏押さえ
７５        裏物押さえ
７６        スイッチレバー
７７        スイッチ車
７８        スイッチレバー押さえ
８０        曜日表示領域
８１        曜日指示針
８２        曜日情報
８３        曜日モータ
８４        曜日輪列
８５        充電量表示領域
９０        日付表示領域
９１        日付一位表示領域
９２        日付十位表示領域
９１０      一位日車
９１１      日付一位モータ
９１２      日付一位輪列
９２０      十位日車
９２１      日付十位モータ
９２２      日付十位輪列
９２３      日付十位輪列受
【図１】
2018159638.tif 000003
【図２】
2018159638.tif 000004
【図３】
2018159638.tif 000005
【図４】
2018159638.tif 000006
【図５】
2018159638.tif 000007
【図６】
2018159638.tif 000008
【図７】
2018159638.tif 000009
【図８】
2018159638.tif 000010
【図９】
2018159638.tif 000011